(57)【要約】【課題】テレビジョン放送番組のサムネイル画を、簡単かつ確実に記録することができるようにする。【解決手段】ホストマイクロコンピュータ２３は、ユーザが入力部２２を操作して入力した、映像信号の属性を取得する。ユーザは、この属性として、放送局、記録開始時刻、番組のジャンル、または番組名を指定する。画像サイズ成形部１４は、ＢＳチューナ１１が受信した放送番組の画像のサイズを縮小、または拡大する。キャプチャ部１５は、ホストマイクロコンピュータ２３により指定されたフレームの画像をサムネイル画として取得する。読み出し書き込み部１８は、ＪＰＥＧエンコーダ３１により圧縮されたサムネイル画像を光磁気ディスク１７に記録する。本発明は、光磁気ディスク記録再生装置に適用することができる。【選択図】　　　図１
2004015611.tif 000002
【特許請求の範囲】
【請求項１】
テレビジョン放送信号を情報記録媒体に記録する記録装置において、
前記テレビジョン放送信号を受信する受信手段と、
前記受信手段が受信した前記テレビジョン放送信号から映像信号を取得する取得手段と、
前記映像信号の属性を検出する検出手段と、
前記検出手段により検出された前記映像信号の属性に基づいてサムネイル画を生成する生成手段と、
前記取得手段が取得した前記映像信号と、前記生成手段が生成した前記サムネイル画を、前記情報記録媒体に記録する記録手段と
を備えることを特徴とする記録装置。
【請求項２】
前記検出手段は、前記映像信号の属性として前記映像信号を放送した放送局を検出する
ことを特徴とする請求項１に記載の記録装置。
【請求項３】
前記検出手段は、前記映像信号の属性として前記映像信号の記録を開始した時刻を検出する
ことを特徴とする請求項１に記載の記録装置。
【請求項４】
前記検出手段は、前記映像信号の属性として前記映像信号の番組のジャンルを検出する
ことを特徴とする請求項１に記載の記録装置。
【請求項５】
前記検出手段は、前記映像信号の属性として前記映像信号の番組の番組名を検出する
ことを特徴とする請求項１に記載の記録装置。
【請求項６】
前記検出手段は、前記映像信号の属性としてユーザが選択した属性を検出する
ことを特徴とする請求項１に記載の記録装置。
【請求項７】
テレビジョン放送信号を情報記録媒体に記録する記録装置の記録方法において、
前記テレビジョン放送信号を受信する受信ステップと、
前記受信ステップの処理により受信した前記テレビジョン放送信号から映像信号を取得する取得ステップと、
前記映像信号の属性を検出する検出ステップと、
前記検出ステップの処理により検出された前記映像信号の属性に基づいてサムネイル画を生成する生成ステップと、
前記取得ステップの処理により取得された前記映像信号と、前記生成ステップの処理により生成された前記サムネイル画を、前記情報記録媒体に記録する記録ステップと
を含むことを特徴とする記録方法。
【請求項８】
テレビジョン放送信号を情報記録媒体に記録する記録装置の制御用のプログラムであって、
前記テレビジョン放送信号を受信する受信ステップと、
前記受信ステップの処理により受信した前記テレビジョン放送信号から映像信号を取得する取得ステップと、
前記映像信号の属性を検出する検出ステップと、
前記検出ステップの処理により検出された前記映像信号の属性に基づいてサムネイル画を生成する生成ステップと、
前記取得ステップの処理により取得された前記映像信号と、前記生成ステップの処理により生成された前記サムネイル画を、前記情報記録媒体に記録する記録ステップと
を含むことを特徴とするコンピュータが読み取り可能なプログラムが記録されている記録媒体。
【請求項９】
テレビジョン放送信号を情報記録媒体に記録する記録装置を制御するコンピュータに、
前記テレビジョン放送信号を受信する受信ステップと、
前記受信ステップの処理により受信した前記テレビジョン放送信号から映像信号を取得する取得ステップと、
前記映像信号の属性を検出する検出ステップと、
前記検出ステップの処理により検出された前記映像信号の属性に基づいてサムネイル画を生成する生成ステップと、
前記取得ステップの処理により取得された前記映像信号と、前記生成ステップの処理により生成された前記サムネイル画を、前記情報記録媒体に記録する記録ステップと
を含む処理を実行させることを特徴とするプログラム。
【発明の詳細な説明】
【０００１】
【発明の属する技術分野】
本発明は、記録装置および方法、記録媒体、並びにプログラムに関し、特に、テレビジョン放送信号のサムネイル画を、簡単かつ確実に記録することができるようにした記録装置および方法、記録媒体、並びにプログラムに関する。
【０００２】
【従来の技術】
近年、光ディスクの大容量化、低価格化、並びに動画像信号および音声信号（以下、ＡＶ信号と記載する）を圧縮符号化する処理の高速化が進み、これらの技術を用いて、テレビジョン番組のＡＶ信号を圧縮符号化して録画し、また再生する記録再生装置が開発されるようになってきた。
【０００３】
このような記録再生装置によれば、大容量の光ディスクに複数の、あるいは１つでも、長時間のテレビジョン番組のＡＶ信号を記録することが可能となるので、記録された複数または長時間の番組のＡＶ信号の所定の位置（フレーム）に、ユーザが容易にアクセスできるように、映像信号のうちの所定のフレームの画像をサムネイル画として抽出して、光ディスクに記録する機能を持たせるようにすることが望ましい。
【０００４】
例えば、番組毎にサムネイル画を作成し、表示する機能を持つ記録再生装置の場合、番組毎に決められた枚数のサムネイル画を記録することにより、そのサムネイル画を用いて記録された番組の一覧や番組毎の内容一覧（サムネイル画の一覧）を表示させることができる。
【０００５】
サムネイル画を作成する場合、ユーザがサムネイル画作成用のアプリケーションを起動しサムネイル画を作成するための規則の設定を行い、放送番組を受信中にそのアプリケーションにより、予め設定された所定のフレームの画像をサムネイル画として光ディスクに記録させるようにするのが一般的である。その他に、光ディスクを記録再生装置から排出する時や、記録再生装置の電源を切る時にサムネイル画を作成するようにすることも知られているが、この場合、例えば、記録された映像信号の先頭という様に、各装置固有に決まった位置の画をサムネイル画として選択している。
【０００６】
【発明が解決しようとする課題】
しかしながら、サムネイル画を作成するために、専用アプリケーションをユーザが呼び出すのはかなり面倒な作業である。また、常に、予め設定されたフレーム（固定された位置のフレーム）をサムネイル画像として記録させると、そのサムネイル画は必ずしも、その番組、または、その位置を適確に表しているものとはなり得ず、結局ユーザは所望の番組に迅速にアクセスすることができなくなるおそれがあった。
【０００７】
本発明はこのような状況に鑑みてなされたものであり、簡単かつ確実に、適切なサムネイル画を記録できるようにすることを目的とする。
【０００８】
【課題を解決するための手段】
本発明の記録装置は、テレビジョン放送信号を受信する受信手段と、受信手段が受信したテレビジョン放送信号から映像信号を取得する取得手段と、映像信号の属性を検出する検出手段と、検出手段により検出された映像信号の属性に基づいてサムネイル画を生成する生成手段と、取得手段が取得した映像信号と、生成手段が生成したサムネイル画を、情報記録媒体に記録する記録手段とを備えることを特徴とする。
【０００９】
前記検出手段には、映像信号の属性として映像信号を放送した放送局を検出させるようにすることができる。
【００１０】
前記検出手段には、映像信号の属性として映像信号の記録を開始した時刻を検出させるようにすることができる。
【００１１】
前記検出手段には、映像信号の属性として映像信号の番組のジャンルを検出させるようにすることができる。
【００１２】
前記検出手段には、映像信号の属性として映像信号の番組の番組名を検出させるようにすることができる。
【００１３】
前記検出手段には、映像信号の属性としてユーザが選択した属性を検出させるようにすることができる。
【００１４】
本発明の記録方法は、テレビジョン放送信号を受信する受信ステップと、受信ステップの処理により受信したテレビジョン放送信号から映像信号を取得する取得ステップと、映像信号の属性を検出する検出ステップと、検出ステップの処理により検出された映像信号の属性に基づいてサムネイル画を生成する生成ステップと、取得ステップの処理により取得された映像信号と、生成ステップの処理により生成されたサムネイル画を、情報記録媒体に記録する記録ステップとを含むことを特徴とする。
【００１５】
本発明の記録媒体のプログラムは、テレビジョン放送信号を受信する受信ステップと、受信ステップの処理により受信したテレビジョン放送信号から映像信号を取得する取得ステップと、映像信号の属性を検出する検出ステップと、検出ステップの処理により検出された映像信号の属性に基づいてサムネイル画を生成する生成ステップと、取得ステップの処理により取得された映像信号と、生成ステップの処理により生成されたサムネイル画を、情報記録媒体に記録する記録ステップとを含むことを特徴とする。
【００１６】
本発明のプログラムは、テレビジョン放送信号を受信する受信ステップと、受信ステップの処理により受信したテレビジョン放送信号から映像信号を取得する取得ステップと、映像信号の属性を検出する検出ステップと、検出ステップの処理により検出された映像信号の属性に基づいてサムネイル画を生成する生成ステップと、取得ステップの処理により取得された映像信号と、生成ステップの処理により生成されたサムネイル画を、情報記録媒体に記録する記録ステップとをコンピュータに実行させることを特徴とする。
【００１７】
本発明の記録装置および方法、記録媒体、並びにプログラムにおいては、受信されたテレビジョン番組の映像信号の属性が検出され、検出された属性に基づいて、サムネイル画が生成され、情報記録媒体に記録される。
【００１８】
【発明の実施の形態】
本発明の一実施の形態である光磁気ディスク記録再生装置１の構成例について、図１を参照して説明する。この光磁気ディスク記録再生装置１は、映像信号を代表する静止画像としてサムネイル画を作成し、記録する機能を有している。
【００１９】
ＢＳ（Ｂｒｏａｄｃａｓｔ　Ｓａｔｅｌｌｉｔｅ）チューナ１１は、日本において行われているＢＳデジタル放送の電波を受信し、受信信号をデマルチプレクサ１２に出力する。また、ＢＳチューナ１１は、テレビジョン番組に対応するＥＰＧ（Ｅｌｅｃｔｒｏｎｉｃ　Ｐｒｏｇｒａｍ　Ｇｕｉｄｅ）情報も受信してホストマイクロコンピュータは２３に供給する。
【００２０】
デマルチプレクサ１２は受信信号を映像信号と音声信号に分離し、映像信号をＭＰＥＧ（Ｍｏｖｉｎｇ　Ｐｉｃｔｕｒｅ　Ｅｘｐｅｒｔｓ　Ｇｒｏｕｐ）デコーダ１３に出力する。ＭＰＥＧデコーダ１３は、ＭＰＥＧ方式で映像信号をデコードし、画像サイズ成形部１４に出力する。
【００２１】
ホストマイクロコンピュータ２３は、画像サイズ成形部１４、キャプチャ部１５、メモリ１９、読み出し書き込み部１８を制御する。スイッチ、ボタン等により構成される入力部２２は、ユーザにより操作されたとき、操作に対応する信号をホストマイクロコンピュータ２３に供給する。
【００２２】
画像サイズ成形部１４は、映像信号に基づく画像のサイズを縮小または拡大し、キャプチャ部１５に出力する。キャプチャ部１５は、画像サイズ成形部１４より、リアルタイムに供給される動画像の映像信号から、サムネイル画とすべき所定のフレームの画像データを取り込み、メモリ１９に出力し、記憶させる。ＪＰＥＧ（Ｊｏｉｎｔ　Ｐｈｏｔｏｇｒａｐｈｉｃ　Ｅｘｐｅｒｔｓ　Ｇｒｏｕｐ）処理部１６は、メモリ１９に記憶された画像データをＪＰＥＧ方式で圧縮するＪＰＥＧエンコーダ３１と、復号するＪＰＥＧデコーダ３２とから構成される。
【００２３】
読み出し書き込み部１８は、ＢＳチューナから供給されたＭＰＥＧ−ＴＳ（ＴｒａｎｓｐｏｒｔＳｔｒｅａｍ）信号、または、メモリ１９から入力されたサムネイル画のデータを光磁気ディスク１７に記録する。読み出し書き込み部１８はまた、光磁気ディスク１７に記録されたＭＰＥＧ−ＴＳ信号を読み出し、デマルチプレクサ１２に出力するとともに、サムネイルの画像データを読み出しメモリ１９に出力する。
【００２４】
Ｄ／Ａコンバータ２０は、ＭＰＥＧデコーダ１３またはＪＰＥＧデコーダ３２より供給される映像信号をＤ／Ａ変換し、Ｄ端子出力部２１に出力する。Ｄ端子出力部２１は映像信号に対応する映像を図示せぬディスプレイ等に出力する。
【００２５】
この光磁気ディスク記録再生装置１において、ＣＰＵ（Ｃｅｎｔｒａｌ　Ｐｒｏｃｅｓｓｉｎｇ　Ｕｎｉｔ）、ＲＡＭ（Ｒａｎｄｏｍ　Ａｃｃｅｓｓ　Ｍｅｍｏｒｙ）、ＲＯＭ（Ｒｅａｄ　Ｏｎｌｙ　Ｍｅｍｏｒｙ）等から成るホストマイクロコンピュータ２３は、必要に応じて接続されるドライブ２４を制御して、磁気ディスク４１、光ディスク４２、光磁気ディスク４３、または半導体メモリ４４に記憶されている制御用プログラムを読み出し、光磁気ディスク記録再生装置１の全体の動作を制御する。
【００２６】
次に、図２のフローチャートを参照して、サムネイル画の記録処理について説明する。この処理は、ユーザが入力部２２を操作して、放送番組の受信、記録を指令したとき開始される。
【００２７】
ステップＳ１０において、ＢＳチューナ１１は、ＢＳデジタル信号を受信し、受信信号を読み出し書き込み部１８に出力する。
【００２８】
ステップＳ１１において、読み出し書き込み部１８は、ＢＳチューナ１１により受信されたＢＳデジタル放送のＭＰＥＧ−ＴＳ信号を、光磁気ディスク１７に記録する。すなわち、ホストマイクロコンピュータ２３は、入力部２２より入力されるユーザからの指令に基づいて、ＢＳチューナ１１を制御し、ユーザにより指定されたチャンネルの番組の信号を受信させる。ＢＳチューナ１１より出力されたＭＰＥＧ−ＴＳ信号は、読み出し書き込み部１８を介して光磁気ディスク１７のデータトラックに順次記録される。
【００２９】
ステップＳ１２において、ホストマイクロコンピュータ２３は、ＢＳチューナ１１が受信し、出力する信号からＥＰＧ情報を取得し、保存する。ＢＳチューナ１１はまた、指定されたチャンネルのＭＰＥＧ−ＴＳ信号をデマルチプレクサ１２に供給し、映像信号と音声信号に分離させる。音声信号は図示せぬ処理部により処理され、出力される。デマルチプレクサ１２により分離、抽出された映像信号は、ＭＰＥＧデコーダ１３に入力される。
【００３０】
ステップＳ１３において、ＭＰＥＧデコーダ１３は、入力された映像信号をＭＰＥＧ方式でデコードする。デコードされた映像信号はＤ／Ａコンバータ２０に供給され、Ｄ／Ａ変換された後、Ｄ端子出力部２１から出力される。
【００３１】
また、ＭＰＥＧデコーダ１３により、デコードされた映像信号は画像サイズ成形部１４にも供給される。
【００３２】
ステップＳ１４において、画像サイズ成形部１４は、ＭＰＥＧデコーダ１３より出力された映像信号の画像のサイズを、サムネイル画のサイズに拡大もしくは縮小する。その詳細は図４のフローチャートを参照して後述する。
【００３３】
ステップＳ１５において、ホストマイクロコンピュータ２３は、サムネイル画の選択位置を設定する。その詳細は、図８乃至図１２のフローチャートを参照して後述するが、この処理により、映像信号の属性に基づいて、サムネイル画とすべきフレームが選択される。
【００３４】
ステップＳ１６において、キャプチャ部１５は、サムネイル画として選択されたフレームの映像信号を取得し、メモリ１９に出力し、記憶させる。
【００３５】
ステップＳ１７において、ＪＰＥＧエンコーダ３１は、メモリ１９に記憶された映像信号（画像データ）をＪＰＥＧ方式でエンコードし、再びメモリ１９に記憶させる。
【００３６】
ステップＳ１８において、読み出し書き込み部１８は、サムネイル画としてエンコードされた画像データをメモリ１９より取り込み、光磁気ディスク１７の最内周のシステム管理領域に記録する。このシステム管理領域は、データトラックとは異なる領域に形成されており、サムネイルデータの他、番組情報、セクタ位置、トラック位置などのファイルシステムが記録される。
【００３７】
次に、画像サイズ成形部１４により行われる、ステップＳ１４の画像のサイズの成形処理の詳細を、図４のフローチャートを参照して説明する。
【００３８】
この処理を行う画像サイズ成形部１４は、例えば図３に示されるように構成される。すなわち、入力部６１は、ＭＰＥＧデコーダ１３が出力する映像信号を取り込む。色変換マトリクス部６２は、入力部６１より映像信号を取り込み、映像信号の信号形式に応じて色変換処理を行い、縮小フィルタ６３に出力する。縮小フィルタ６３は、入力信号と出力信号のフォーマットに応じて画像のサイズの縮小を行う。
【００３９】
メモリコントローラ６４は、画像データを縮小フィルタ６３より取り込み、メモリ６５に出力し、記憶させるとともに、メモリ６５に記憶された画像データを読み出し、拡大フィルタ６６に出力する。拡大フィルタ６６は、メモリコントローラ６４より画像データを取り込み、入力信号と出力信号のフォーマットに応じて画像のサイズの拡大を行い、キャプチャ部１５に出力する。色変換マトリクス部６２、縮小フィルタ６３、および拡大フィルタ６６は、ホストマイクロコンピュータ２３により制御される。
【００４０】
図４のステップＳ２１において、入力部６１は、ＭＰＥＧデコーダ１３より出力された映像信号を取り込み、色変換マトリクス部６２に供給する。
【００４１】
ステップＳ２２において、ホストマイクロコンピュータ２３は、ＭＰＥＧ−ＴＳからヘッダ情報を読み込み、その信号（入力信号）の形式を認識し、入力フォーマットの判別を行う。また、ホストマイクロコンピュータ２３は、入力部２２からの入力に基づいて、ユーザから指定された出力信号のフォーマット（出力フォーマット）を判別する。入力フォーマットと出力フォーマットとしては、図５に示されるように、５２５ｉ、５２５ｐ、１１２５ｉ、７５０ｐの各パターンが存在する。これらの値の数字は走査線の数を表し、ｐはプログレシブ（線順次）形式であることを表し、ｉはインターレス（飛び越し走査）の形式であることを表わしている。
【００４２】
ステップＳ２３において、色変換マトリクス部６２は、ホストマイクロコンピュータ２３の制御に基づいて色変換処理を行う。信号形式が５２５ｉと５２５ｐの場合はＣＣＩＲ（国際無線通信顧問委員会）−ＲＥＣ６０１に、信号形式が１１２５ｉと７５０ｐの場合はＣＣＩＲ−ＲＥＣ７０９に、それぞれカラメトリのマトリクスが規定されている。すなわち、ＣＣＩＲ−ＲＥＣ６０１には、式（１）で表わされるように、３原色の（Ｒ，Ｇ，Ｂ）信号に乗算して（Ｙ，Ｒ−Ｙ，Ｂ−Ｙ）の輝度信号と色差信号を得るためのマトリックスＭ６０１が規定されており、ＣＣＩＲ−ＲＥＣ７０９には、式（２）で表わされるように、やはり、３原色の（Ｒ，Ｇ，Ｂ）信号に乗算して（Ｙ，Ｒ−Ｙ，Ｂ−Ｙ）の輝度信号と色差信号を得るためのマトリックスＭ７０９が規定されている。
【数１】
2004015611.tif 000003
【数２】
2004015611.tif 000004
【００４３】
そこで、色変換マトリクス部６２は、入力フォーマットがＣＣＩＲ−ＲＥＣ６０１であり、出力フォーマットがＣＣＩＲ−ＲＥＣ７０９である場合、式（３）に基づく変換を行う。また、色変換マトリクス部６２は、入力フォーマットがＣＣＩＲ−ＲＥＣ７０９であり、出力フォーマットがＣＣＩＲ−ＲＥＣ６０１である場合、式（４）に基づく変換を行う。
【数３】
2004015611.tif 000005
【数４】
2004015611.tif 000006
【００４４】
式（３）のマトリクスＭ６０１，７０９は、マトリクスＭ６０１の逆マトリクスに、マトリクスＭ７０９を乗算して得たマトリクスであり、式（４）のマトリクスＭ７０９，６０１はマトリクスＭ７０９の逆マトリクスに、マトリクスＭ６０１を乗算して得たマトリクスである。式（３）と式（４）では、入力された輝度信号と色差信号（ＹＩ，ＲＩ−ＴＩ，ＢＩ−ＹＩ）にマトリクスＭ６０１，７０９またはＭ７０９，６０１を乗算することで、輝度信号と色差信号（ＹＯ，ＲＯ−ＹＯ，ＢＯ−ＹＯ）が演算される。
【００４５】
以上の変換の処理が図５にまとめて示されている。例えば、同図に示されるように、入力フォーマットが５２５ｉの信号形式の信号を、出力フォーマット１１２５ｉの信号形式の信号に変換するときは、式（３）に基づく変換処理が行われる。また、入力フォーマットが５２５ｉの信号形式の信号を、出力フォーマット５２５ｐ信号形式に変換するときは、変換処理は行われない。
【００４６】
ステップＳ２４おいて、縮小フィルタ６３、または、拡大フィルタ６６は、ホストマイクロコンピュータ２３からのレジスタ設定に基づいて、入力信号と出力信号に応じた縮小、または、拡大処理を行う。
【００４７】
信号形式が１１２５ｉの信号の画像を縮小する場合の処理の原理を図６と図７に示す。この例では、図６に示されるように２２００×１１２５画素の入力信号から、水平方向の左から１９２画素、垂直方向の上から２０画素のブランキング領域Ｒ１を除く、水平方向１９２０×垂直方向１０８０の画素の有効画像領域Ｒ２が切り出される。縮小フィルタ６３は、この切り出した有効画像領域Ｒ２の画素データを、例えば、図７に示されるように、４１６×２４０画素のサイズのデータに縮小する。この縮小画素データは、メモリコントローラ６４により、メモリ６５に供給され、有効画像領域Ｒ２の所定の位置に配置されるように記憶される。
【００４８】
ステップＳ２５おいて、メモリコントローラ６４は、メモリ６５に書き込まれた縮小画像データを読み出し、拡大フィルタ６６を介して出力させる。
【００４９】
画像を縮小する場合、縮小フィルタ６３のみ機能し、拡大フィルタ６６はスルー状態になる。これに対して、サムネイル画像を生成するのに、入力画像を拡大する必要がある場合は、縮小フィルタ６３はスルー状態とされ、メモリに書き込まれた画像データが、拡大フィルタ６６により拡大され、出力される。
【００５０】
次に、図２のステップＳ１５におけるサムネイル画選択位置の設定処理の詳細を、図８乃至図１２のフローチャートを参照して説明する。図８のステップＳ３１において、ホストマイクロコンピュータ２３は、ユーザが入力部２２を操作することで入力されたサムネイル画の選択条件を読み出す。すなわち、ユーザは、入力部２２を操作して、サムネイル画選択条件となる映像信号の属性として、放送局、記録開始時刻、番組のジャンル、または番組名のいずれかを指定する。
【００５１】
そこで、ステップＳ３２乃至Ｓ３５において、ホストマイクロコンピュータ２３は、ユーザから指定された属性が、放送局、記録開始時刻、番組のジャンル、番組名のいずれであるのかを判定する。指定された属性が、放送局である場合、処理は図９のステップＳ３７に進み、記録開始した時刻である場合、処理は図１０のステップＳ４４に進み、番組のジャンルである場合、処理は図１１のステップＳ５１に進み、番組名である場合、処理は図１２のステップＳ６４に進む。
【００５２】
ステップＳ３２乃至Ｓ３５において、指定された属性がこれらのいずれでもないと判定された場合、ステップＳ３６において、ホストマイクロコンピュータ２３は、エラー処理を行う。
【００５３】
属性として、放送局が指定されていると判定された場合、図９のステップＳ３７において、ホストマイクロコンピュータ２３は、ＥＰＧ情報より、記録した番組の放送局がＮＨＫ（商標）であるか否かを判定し、放送局がＮＨＫである場合、処理をステップＳ３８に進める。ステップＳ３８において、ホストマイクロコンピュータ２３は、記録した番組が３秒以上の長さを有するか否かを判定する。記録した番組が３秒以上の長さを有する場合、ステップＳ３９に進み、ホストマイクロコンピュータ２３は、相対時間３秒後（番組の先頭から３秒後）のフレームの画をサムネイル画として設定する。すなわち、放送局がＮＨＫである場合、番組にはコマーシャル（ＣＭ）の画像が挿入されないので、番組の先頭に近い画像が、サムネイル画のフレームとして選択される。
【００５４】
ステップＳ３８において、記録した番組の長さが３秒未満であると判定された場合、ステップＳ４０に進み、ホストマイクロコンピュータ２３は、番組の最後の画をサムネイル画として設定する。
【００５５】
ステップＳ３７において、ホストマイクロコンピュータ２３は、記録した番組の放送局がＮＨＫではないと判定した場合、処理をステップＳ４１に進める。ステップＳ４１において、ホストマイクロコンピュータ２３は、記録した番組が５分以上の長さを有するか否かを判定する。記録した番組が５分以上の長さを有する場合、ステップＳ４２に進み、ホストマイクロコンピュータ２３は、相対時間５分後の画をサムネイル画として設定する。すなわち、放送局がＮＨＫではない場合（民間放送である場合）、番組の先頭にＣＭの画像が挿入されることが多いため、番組の先頭から５分後の画像が、サムネイル画のフレームとして選択される。
【００５６】
ステップＳ４１において、記録した番組の長さが５分未満であると判定された場合、ステップＳ４３に進み、ホストマイクロコンピュータ２３は、番組の最後の画をサムネイル画として設定する。
【００５７】
属性として、記録開始時刻が指定されていると判定された場合、図１０のステップＳ４４において、ホストマイクロコンピュータ２３は、記録開始時刻が午後１０時以降かつ午前６時以前であるか否かを判定し、午後１０時以降かつ午前６時以前である場合、処理をステップＳ４５に進める。ステップＳ４５において、ホストマイクロコンピュータ２３は、記録した番組が５分以上の長さを有するか否かを判定する。記録した番組が５分以上の長さを有する場合、ステップＳ４６に進み、ホストマイクロコンピュータ２３は、相対時間５分後の画をサムネイル画として設定する。すなわち、午後１０時以降かつ午前６時以前の深夜および早朝の時間帯では、番組の先頭にＣＭの画像が挿入されることが多いため、番組の先頭から５分後の画像が、サムネイル画のフレームとして選択される。
【００５８】
ステップＳ４５において、記録した番組の長さが５分未満であると判定された場合、ステップＳ４７に進み、ホストマイクロコンピュータ２３は、番組の最後の画をサムネイル画として設定する。
【００５９】
ステップＳ４４において、ホストマイクロコンピュータ２３は、記録開始時刻が午後１０時以降かつ午前６時以前ではない（日中の時間帯である）と判定した場合、処理をステップＳ４８に進める。ステップＳ４８において、ホストマイクロコンピュータ２３は、記録した番組が１０秒以上の長さを有するか否かを判定する。記録した番組が１０秒以上の長さを有する場合、ステップＳ４９に進み、ホストマイクロコンピュータ２３は、相対時間１０秒後の画をサムネイル画として設定する。すなわち、午後１０時以降かつ午前６時以前でない日中の時間帯では、番組の先頭にコマーシャルの画像が挿入されることが少なく、また、番組のタイトル（番組名）が表示されることが多いので、番組の先頭に近い画像が、サムネイル画のフレームとして選択される。
【００６０】
ステップＳ４８において、記録した番組の長さが１０秒未満であると判定された場合、ステップＳ５０に進み、ホストマイクロコンピュータ２３は、番組の最後の画をサムネイル画として設定する。
【００６１】
属性として、番組のジャンルが指定されていると判定された場合、図１１のステップＳ５１において、ホストマイクロコンピュータ２３は、ＥＰＧ情報より、記録した番組のジャンルがニュースであるか否かを判定し、ニュースである場合、処理をステップＳ５２に進める。ステップＳ５２において、ホストマイクロコンピュータ２３は、記録した番組が３秒以上の長さを有するか否かを判定する。記録した番組が３秒以上の長さを有する場合、ステップＳ５３に進み、ホストマイクロコンピュータ２３は、相対時間３秒後の画をサムネイル画として設定する。すなわち、ニュースの場合、番組の先頭にＣＭの画像が挿入されることが少なく、また、番組のタイトル（番組名）が表示されることが多いので、番組の先頭に近い画像が、サムネイル画のフレームとして選択される。
【００６２】
ステップＳ５２において、記録した番組の長さが３秒未満であると判定された場合、ステップＳ５４に進み、ホストマイクロコンピュータ２３は、番組の最後の画をサムネイル画として設定する。
【００６３】
ステップＳ５１において、ホストマイクロコンピュータ２３は、記録した番組のジャンルがニュースではないと判定した場合、処理をステップＳ５５に進める。ステップＳ５５において、ホストマイクロコンピュータ２３は、記録した番組のジャンルがバラエティであるか否かを判定し、バラエティである場合、処理をステップＳ５６に進める。ステップＳ５６において、ホストマイクロコンピュータ２３は、ＣＭが検出されたか否かを判定する。ＣＭが検出された場合、ステップＳ５７に進み、ホストマイクロコンピュータ２３は、最初のＣＭ直後の画をサムネイル画として設定する。すなわち、バラエティの場合、番組の先頭にＣＭの画像が挿入される場合が多いため、最初のＣＭ直後の画像が、サムネイル画のフレームとして選択される。
【００６４】
ステップＳ５６において、ＣＭが検出されないと判定された場合、ステップＳ５８に進み、ホストマイクロコンピュータ２３は、番組の最初の画をサムネイル画として設定する。
【００６５】
ステップＳ５５において、ホストマイクロコンピュータ２３は、記録した番組のジャンルがバラエティではないと判定した場合、処理をステップＳ５９に進める。ステップＳ５９において、ホストマイクロコンピュータ２３は、記録した番組のジャンルがスポーツであるか否かを判定し、スポーツである場合、処理をステップＳ６０に進める。ステップＳ６０において、ホストマイクロコンピュータ２３は、テロップが検出されたか否かを判定する。テロップが検出された場合、ステップＳ６１に進み、ホストマイクロコンピュータ２３は、最初のテロップ検出時の画をサムネイル画として設定する。すなわち、スポーツの場合、番組の先頭にテロップの画像が挿入される場合が多いため、最初のテロップ検出時の画像が、サムネイル画のフレームとして選択される。
【００６６】
ステップＳ６０において、テロップが検出されないと判定された場合、ステップＳ６２に進み、ホストマイクロコンピュータ２３は、番組の最初の画をサムネイル画として設定する。
【００６７】
ステップＳ５９において、記録した番組のジャンルがスポーツではないと判定された場合、ステップＳ６３に進み、ホストマイクロコンピュータ２３は、番組の最初の画をサムネイル画として設定する。
【００６８】
属性として、番組名が指定されていると判定された場合、図１２のステップＳ６４において、ホストマイクロコンピュータ２３は、ＥＰＧ情報より、記録した番組の番組名が設定履歴管理テーブルに登録されているか否かを判定し、番組名が設定履歴管理テーブルに記録されている場合、処理をステップＳ６５に進める。
【００６９】
設定履歴管理テーブルの例を図１３に示す。設定履歴管理テーブルは、インデックス番号、番組名、設定相対時刻（時間、分、秒、フレーム）より構成される。例えば、インデックス番号０として、番組名が「モーニングニュース」、設定相対時刻が「００：１２：２０：１２」（００時間１２分２０秒１２フレーム）のフレームが登録されており、インデックス番号１として、番組名が「スポーツトゥディ」、設定相対時刻が「００：０１：１２：１２」（００時間０１分１２秒１２フレーム）のフレームが登録されている。
【００７０】
ホストマイクロコンピュータ２３は、ユーザが過去にサムネイル画を設定した履歴として、番組名と設定相対時刻を、内蔵するメモリの設定履歴管理テーブルに保存している。そして記録した番組の番組名が履歴内の番組名と一致したことを判定すると、ホストマイクロコンピュータ２３は、その設定相対時刻と同じ時刻の画をサムネイル画として選択する。ステップＳ６５において、ホストマイクロコンピュータ２３は、記録した番組が設定履歴管理テーブルの相対時刻以上の長さを有するか否かを判定する。相対時刻以上の長さを有する場合、ステップＳ６６に進み、ホストマイクロコンピュータ２３は、設定履歴管理テーブルの設定相対時刻の画をサムネイル画のフレームとして設定する。これは、例えば、毎月、毎週、または毎日放送される同じ番組（連続番組）の場合、同じ時刻に、番組名等、同じ特徴的な画像が表示されることが多いので、同じタイミングのフレームを、サムネイル画として選択するのである。
【００７１】
ステップＳ６５において、記録した番組が設定履歴管理テーブルの相対時刻以上の長さを有していないと判定された場合、ステップＳ６７に進み、ホストマイクロコンピュータ２３は、番組の最後の画をサムネイル画として設定する。
【００７２】
ステップＳ６４において、番組名が設定履歴管理テーブルに登録されていないと判定された場合、ステップＳ６８に進み、ホストマイクロコンピュータ２３は、サムネイル画の設定を行わない。
【００７３】
このように、記録した映像信号の属性を利用して、サムネイル画の選択位置を設定するようにすることで、簡単かつ確実に、適切なサムネイル画を作成し、記録媒体に記録することができる。
【００７４】
以上のようにして、ＭＰＥＧ−ＴＳ信号とサムネイル画像が光磁気ディスク１７に記録された後、ユーザが入力部２２を操作して、光磁気ディスク１７の再生を指令すると、ホストマイクロコンピュータ２３は、読み出し書き込み部１８を制御して、光磁気ディスク１７に記録されているＭＰＥＧ−ＴＳ信号に対応するサムネイル画を読み出させる。このサムネイル画は、メモリ１９に入力され、ＪＰＥＧデコーダ３２によりデコードされ、Ｄ／Ａコンバータ２０によりＤ／Ａ変換された後、Ｄ端子出力部２１から、図示せぬディスプレイに出力され、表示される。このようにして、光磁気ディスク１７に記録されている複数のＭＰＥＧ−ＴＳ信号のそれぞれに対応する複数のサムネイル画の一覧が表示される。
【００７５】
ユーザは、この表示を見て、入力部２２を操作して、複数のサムネイル画の中から、再生すべき対象としてのサムネイル画を選択する。ホストマイクロコンピュータ２３は、読み出し書き込み部１８を制御し、ユーザにより選択されたサムネイル画に対応するＭＰＥＧ−ＴＳ信号を光磁気ディスク１７から読み出させる。このＭＰＥＧ−ＴＳ信号は、デマルチプレクサ１２に供給され、映像信号と音声信号に分離される。音声信号は図示せぬ処理部により処理され、図示せぬスピーカなどに出力される。
【００７６】
映像信号は、ＭＰＥＧデコーダ１３によりデコードされ、Ｄ／Ａコンバータ２０によりＤ／Ａ変換された後、Ｄ端子出力部２１から、図示せぬディスプレイに出力され、表示される。
【００７７】
以上、本発明を、光磁気ディスク記録再生装置に適用した場合を例として説明したが、本発明は、テレビジョン番組を録画再生するＶＣＲ（ビデオカセットレコーダ）、テレビジョン番組を録画再生する機能を有するパーソナルコンピュータ等、各種の情報記録媒体に情報を記録し、さらに必要に応じて再生する機能を有する装置に適用することが可能である。情報記録媒体は、光磁気ディスクの他、ＣＤ−Ｒ（Ｃｏｍｐａｃｔ　Ｄｉｓｃ−Ｒｅｃｏｒｄａｂｌｅ）、ＣＤ−ＲＷ（Ｃｏｍｐａｃｔ　Ｄｉｓｃ−ＲｅＷｒｉｔａｂｌｅ）、ハードディスク、ＤＶＤ（Ｄｉｇｉｔａｌ　Ｖｅｒｓａｔｉｌｅ　Ｄｉｓｃ）、フラッシュメモリ等を用いることができる。
【００７８】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記憶媒体からインストールされる。
【００７９】
この記録媒体は、図１に示されるように、コンピュータとは別に、ユーザにプログラムを提供するために配布される、プログラムが記録されている磁気ディスク４１（フロッピディスクを含む）、光ディスク４２（ＣＤ−ＲＯＭ（Ｃｏｍｐａｃｔ　Ｄｉｓｃ−Ｒｅａｄ　Ｏｎｌｙ　Ｍｅｍｏｒｙ）、ＤＶＤを含む）、光磁気ディスク４３（ＭＤ（Ｍｉｎｉ　Ｄｉｓｃ））、もしくは半導体メモリ４４などによりなるパッケージメディアにより構成されるだけでなく、コンピュータに予め組み込まれた状態でユーザに提供される、プログラムが記録されているＲＯＭやハードディスクなどで構成される。
【００８０】
また、以上においては、テレビジョン放送は、日本において行われているＢＳデジタル放送としたが、ＣＳ（Ｃｏｍｍｕｎｉｃａｔｉｏｎｓ　Ｓａｔｅｌｌｉｔｅ）放送、地上波放送、ケーブルテレビジョン放送、インターネットを介して配信される放送等でもよい。
【００８１】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００８２】
【発明の効果】
以上のように、本発明の記録装置および方法、記録媒体、並びにプログラムによれば、記録した映像信号から、サムネイル画を作成し、記録することができる。特に、簡単かつ確実に、適切なサムネイル画を作成し、記録媒体に記録することが可能となる。
【図面の簡単な説明】
【図１】本発明を適用した光磁気ディスク記録再生装置の構成を示すブロック図である。
【図２】図１の光磁気ディスク記録再生装置のサムネイル画記録処理を説明するフローチャートである。
【図３】図１の画像サイズ成形部の内部の構成を示すブロック図である。
【図４】画像サイズの成形の処理を説明するフローチャートである。
【図５】映像信号の入力フォーマットと出力フォーマットにより規定される変換処理を説明する図である。
【図６】画像サイズ成形部が処理する縮小前の画像の例を示す図である。
【図７】画像サイズ成形部が処理した縮小後の画像の例を示す図である。
【図８】サムネイル画の選択位置設定の処理を説明するフローチャートである。
【図９】図８に続くフローチャートである。
【図１０】図８に続くフローチャートである。
【図１１】図８に続くフローチャートである。
【図１２】図８に続くフローチャートである。
【図１３】番組の番組名と設定相対時刻の履歴管理の例を示す図である。
【符号の説明】
１　光磁気ディスク記録再生装置，　１４　画像サイズ成形部，　１５　キャプチャ部，　１７　光磁気ディスク，　１８　読み出し書き込み部，　２２　入力部，　２３　ホストマイクロコンピュータ
【図１】
2004015611.tif 000007
【図２】
2004015611.tif 000008
【図３】
2004015611.tif 000009
【図４】
2004015611.tif 000010
【図５】
2004015611.tif 000011
【図６】
2004015611.tif 000012
【図７】
2004015611.tif 000013
【図８】
2004015611.tif 000014
【図９】
2004015611.tif 000015
【図１０】
2004015611.tif 000016
【図１１】
2004015611.tif 000017
【図１２】
2004015611.tif 000018
【図１３】
2004015611.tif 000019